(57)【要約】【課題】電気錠を備えつつも、炎が外部に出火し難い扉体を有する建具を提供する。【解決手段】開口を形成する開口枠、及び、金属製の一対の表面材の間に設けられた金属製の扉枠と、前記扉枠の内側に設けられた断熱材と、前記扉枠の内側に設けられた電気錠と、前記断熱材と前記電気錠との間に設けられ、前記扉枠に固定されて前記電気錠を収容する金属製の錠補強部材と、を有し前記開口を開閉可能に前記開口枠に支持される扉体、を備え、前記錠補強部材は、前記電気錠が備えるケーブルが挿通される貫通口と、前記貫通口が貫通している方向に沿う貫通方向面を形成して突出する突出片と、前記突出片において前記貫通口側に位置する前記貫通方向面に設けられ、加熱されて発泡する加熱発泡材と、を有する。【選択図】図２
2017040136.tif 000002
【特許請求の範囲】
【請求項１】
開口を形成する開口枠、及び、
金属製の一対の表面材の間に設けられた金属製の扉枠と、
前記扉枠の内側に設けられた断熱材と、
前記扉枠の内側に設けられた電気錠と、
前記断熱材と前記電気錠との間に設けられ、前記扉枠に固定されて前記電気錠を収容する金属製の錠補強部材と、を有し前記開口を開閉可能に前記開口枠に支持される扉体、
を備え、
前記錠補強部材は、前記電気錠が備えるケーブルが挿通される貫通口と、
前記貫通口が貫通している方向に沿う貫通方向面を形成して突出する突出片と、
前記突出片において前記貫通口の側に位置する前記貫通方向面に設けられ、加熱されて発泡する加熱発泡材と、
を有することを特徴とする建具。
【請求項２】
請求項１に記載の建具であって、
前記錠補強部材は、前記電気錠を補強する補強部材本体と、前記補強部材本体を前記扉枠に固定する固定部材とを有し、
前記貫通口は、前記固定部材に設けられていることを特徴とする建具。
【請求項３】
請求項１または請求項２に記載の建具であって、
前記突出片は、前記電気錠が収容されている前記錠補強部材の、外側に突出していることを特徴とする建具。
【請求項４】
請求項１乃至請求項３のいずれかに記載の建具であって、
前記ケーブルは、前記表面材の面内方向に沿って前記貫通口に挿通されることを特徴とする建具。
【請求項５】
請求項１乃至請求項４のいずれかに記載の建具であって、
前記扉枠は、前記電気錠が取り付けられる孔を備え、
前記錠補強部材は、前記一対の表面材と各々対向する対向部を有し、
前記対向部と前記表面材との間に、加熱されて発泡する加熱発泡材が設けられていることを特徴とする建具。
【発明の詳細な説明】
【技術分野】
【０００１】
本発明は、電気錠を備えた扉体を有する建具に関する。
【背景技術】
【０００２】
扉体を有する建具としては、例えば、四周枠組みされた枠材と、この枠材の室内外にそれぞれ固定された内外一対の金属製の表面材と、室内外の表面材の間に設けられた樹脂製の断熱材と、を有する玄関ドアが知られている（例えば、特許文献1参照）。
【０００３】
玄関ドアは枠体と係合して施錠される錠を有している。このため、扉体をなす玄関ドアには、内外を連通し錠の一部が突出する孔が設けられており、この孔には、錠と扉体内の断熱材とを仕切るように金属製の部材が設けられている。また、扉体には、電気的に施解錠可能な電気錠を備えたものがある。電気錠は、扉体を回動自在に支持するヒンジが備えられている吊り元側から扉体内に這わされたケーブルにより扉体外から電力が供給されている。このため、錠と断熱材とを仕切る金属製の部材にはケーブルが挿通される貫通口が設けられている。
【先行技術文献】
【特許文献】
【０００４】
【特許文献１】特開２００９−１０２９８４号公報
【発明の概要】
【発明が解決しようとする課題】
【０００５】
上記のように電気錠を備えた扉体を有する建具は、火災等により火炎に晒されて加熱されると、断熱材が発火する虞があり、断熱材の炎が、ケーブルが挿通される貫通口から枠材の孔を通して扉体の外に出火する虞がある。
【０００６】
本発明は、かかる課題に鑑みてなされたものであり、その目的とするところは、電気錠を備えつつも、炎が外部に出火し難い扉体を有する建具を提供することにある。
【課題を解決するための手段】
【０００７】
かかる目的を達成するために本発明の建具は、開口を形成する開口枠、及び、金属製の一対の表面材の間に設けられた金属製の扉枠と、前記扉枠の内側に設けられた断熱材と、  前記扉枠の内側に設けられた電気錠と、前記断熱材と前記電気錠との間に設けられ、前記扉枠に固定されて前記電気錠を収容する金属製の錠補強部材と、を有し前記開口を開閉可能に前記開口枠に支持される扉体、を備え、前記錠補強部材は、前記電気錠が備えるケーブルが挿通される貫通口と、前記貫通口が貫通している方向に沿う貫通方向面を形成して突出する突出片と、前記突出片において前記貫通口の側に位置する前記貫通方向面に設けられ、加熱されて発泡する加熱発泡材と、を有することを特徴とする建具である。
【０００８】
このような建具によれば、電気錠を収容する錠補強部材が有する突出片に加熱発泡材が設けられているので、防火戸が火炎に晒されたときには加熱発泡材が発泡する。このとき加熱発泡材が設けられている突出片の貫通方向面は、貫通口の貫通方向に沿っており、加熱発泡材は突出片の貫通口側に設けられているので、加熱された加熱発泡材は貫通口側に発泡する。すなわち、加熱発泡材は貫通口を塞ぐ方向に発泡するので、電気錠を備えつつも、炎が外部に出火し難い防火戸を提供することが可能である。
【０００９】
かかる建具であって、前記錠補強部材は、前記電気錠を補強する補強部材本体と、前記補強部材本体を前記扉枠に固定する固定部材とを有し、前記貫通口は、前記固定部材に設けられていることが望ましい。
【００１０】
このような建具よれば、錠補強部材は補強部材本体と、固定部材とにより構成されているので、部材を簡単な形状とすることが可能であり容易に製造することが可能である。また、貫通口は固定部材側に設けられているので、錠補強部材の剛性を低下させることなく電気錠のケーブルが挿通される貫通口を設けることが可能である。
【００１１】
かかる建具であって、前記突出片は、前記電気錠が収容されている前記錠補強部材の、外側に突出していることが望ましい。
このような建具によれば、加熱発泡材が設けられる貫通方向面を有する突出片が、電気錠が収容されている錠補強部材の外側に突出しているので、加熱発泡材を電気錠からより離れたところにて発泡させて電気錠からより離れた位置で火炎を遮断することが可能である。
【００１２】
かかる建具であって、前記ケーブルは、前記表面材の面内方向に沿って前記貫通口に挿通されることが望ましい。
このような建具によれば、電気錠のケーブルを表面材の面内方向に沿って配置することが可能である。このため、扉体の厚みを厚くすることなくケーブルを綺麗に納めることが可能である。
【００１３】
かかる建具であって、前記扉枠は、前記電気錠が取り付けられる孔を備え、前記錠補強部材は、前記一対の表面材と各々対向する対向部を有し、前記対向部と前記表面材との間に、加熱されて発泡する加熱発泡材が設けられていることが望ましい。
【００１４】
電気錠が取り付けられる孔が扉枠に設けられているので、扉体が火炎に晒されて加熱されると、枠材の孔が設けられている部位に位置する表面材の部位と扉枠との間に隙間が生じる虞があるが、上記防火戸は対向部と表面材との間に加熱発泡材が設けられているので、例え加熱されて表面材に反りが生じても加熱発泡材により対向部と表面材との間を埋めて隙間が生じることを防止することが可能である。
【発明の効果】
【００１５】
本発明によれば、電気錠を備えつつも、炎が外部に出火し難い扉体を有する建具を提供することが可能である。
【図面の簡単な説明】
【００１６】
【図１】本実施形態に係る建具の構成を説明する斜視図である。
【図２】本実施形態に係る建具が有する玄関扉の構成を説明する斜視図である。
【図３】骨材に取り付けられる電気錠と錠補強部材とを示す分解斜視図である。
【図４】骨材に取り付けられた電気錠と錠補強部材とを示す斜視図である。
【図５】骨材に取り付けられた電気錠と錠補強部材とを示す正面図である。
【図６】骨材に取り付けられた電気錠と錠補強部材とを示し戸先側から見た側面図である。
【図７】骨材に取り付けられた電気錠と錠補強部材とを示す平面図である。
【発明を実施するための形態】
【００１７】
以下、本発明の一実施形態に係る建具について図面を参照して説明する。
本実施形態においては、建具として、例えば図１、図２に示すような、屋内外を仕切り防火性を備えた扉体としての玄関扉１ａと、玄関扉１ａにより開閉可能な開口１ｃを形成する開口枠１ｂと、を有する建具１を例に挙げて説明する。
【００１８】
本実施形態の建具１が有する玄関扉１ａは、四周を囲む扉枠としての鋼製の骨材２と、骨材２の屋内側に設けられる金属製の内表面材３と、骨材２の屋外側に設けられる金属製の外表面材４と、骨材２の戸先側に設けられる電気錠５と、電気錠５を収容する錠補強部材６と、骨材２に囲まれた領域であって内表面材３と外表面材４との間に形成される空間に設けられるパネル状の断熱材７と、を有している。ここで、内表面材３と外表面材４とが互いに対向する金属製の一対の表面材に相当する。
【００１９】
図２に示す玄関扉１ａには、幅方向における中央近傍に玄関扉１ａの長手方向、すなわち玄関扉１ａが建物等に取り付けられた状態における上下方向に沿って複層ガラス等を装着可能な中枠部８が備えられているが、中枠部８は必ずしも備えられていなくともよい。
骨材２は、鋼板を断面がコ字状をなすように加工して形成した４本の枠部材を矩形状に接合して形成されている。
【００２０】
骨材２の戸先側における玄関扉１ａの外周部、すなわち厚み方向に沿う面をなす見込面２ａには、図３、図４に示すように、玄関扉１ａの長手方向における中央近傍に、錠補強部材６の内側に配置される電気錠５のフランジ部５ｄが見込面２ａに固定される際に、錠本体部５ｃが挿通される矩形状の孔２ｂが設けられている。
【００２１】
錠補強部材６は、図５〜図７に示すように、電気錠５を補強する金属製の補強部材本体６１と、補強部材本体６１を骨材２に固定するための固定部材６２とを有している。
【００２２】
補強部材本体６１は、内表面材３と対向する対向部としての内板部６１ａと、外表面材４と対向する対向部としての外板部６１ｂと、内板部６１ａと外板部６１ｂとの戸尻側の縁同士を連結し見込み方向に沿う連結板部６１ｃにより形成されている。すなわち錠補強部材６は、連結板部６１ｃが底をなすような溝状をなしている。連結板部６１ｃは、内板部６１ａ及び外板部６１ｂより玄関扉１ａの上下方向の双方にそれぞれ延出された延出片６１ｄを有している。また、内板部６１ａの内表面材３と対向する面と、外板部６１ｂの外表面材４と対向する面とには、それぞれ戸先側の縁部及び戸尻側の縁部に沿って、加熱されて発泡する加熱発泡材としての熱膨張性黒鉛１０が設けられている。
【００２３】
電気錠５は、デッドボルト５ａが戸先側に位置するように骨材２の外側から錠本体部５ｃを孔２ｂに挿入して、骨材２の見込面２ａに当接される電気錠５のフランジ部５ｄがビス止めされて取り付けられている。このとき、電気錠５に電力を供給するためのケーブル５ｂは、錠本体部５ｃより先に孔２ｂに挿通させておく。
【００２４】
固定部材６２は、玄関扉１ａが取り付けられた状態において、内板部６１ａと外板部６１ｂとの上縁部同士、及び、下縁部同士の間を塞ぐように配置される本体部６２ａと、本体部６２ａの戸先側、すなわち骨材２側の縁から骨材２に沿うように電気錠５とは反対側に延出された骨材側固定部６２ｂと、本体部６２ａの戸尻側の縁から骨材側固定部６２ｂとほぼ平行をなすように電気錠５側に延出され錠補強部材６に固定される補強材側固定部６２ｃと、を有している。
【００２５】
本体部６２ａには、玄関扉１ａの幅方向における中央より補強材側固定部６２ｃ側に、その一部を切り起こして骨材側固定部６２ｂと同じ方向、すなわち電気錠５が収容される錠補強部材６の、外側に突出する突出片６２ｄが設けられており、突出片６２ｄが曲げ起こされた部位に貫通口６２ｅが形成されている。この貫通口６２ｅには、電気錠５のケーブル５ｂが挿通される。
【００２６】
突出片６２ｄは、貫通口６２ｅが貫通する方向に沿う貫通方向面６２ｆを形成するように突出されており、貫通口６２ｅ側の貫通方向面６２ｆには、熱膨張性黒鉛１０が設けられている。より具体的には、貫通口６２ｅが設けられた本体部６２ａに対してほぼ直角をなすように曲げ起こされた突出片６２ｄの貫通口６２ｅ側の貫通方向面６２ｆに熱膨張性黒鉛１０が設けられている。
【００２７】
補強部材本体６１は、固定部材６２により骨材２に固定されると、電気錠５の錠本体部５ｃは、骨材２、内板部６１ａ、外板部６１ｂ及び連結板部６１ｃと２つの固定部材６２の本体部６２ａとにより形成される空間内に収容されて、電気錠５のデッドボルト５ａと錠本体部５ｃのフランジ部５ｄが孔２ｂから突出し、一方の貫通口６２ｅに電気錠５のケーブル５ｂが挿通されている。また、固定部材６２の本体部６２ａに設けられた突出片６２ｄ及び突出片６２ｄに設けられた熱膨張性黒鉛１０は、錠補強部材６の延出片６１ｄと対向している。
【００２８】
本実施形態の玄関扉１ａが、火災等により火炎に晒された場合には、内表面材３及び外表面材４が加熱されることにより錠補強部材６も加熱され、固定部材６２の突出片６２ｄに設けられた熱膨張性黒鉛１０が発泡する。このとき、熱膨張性黒鉛１０は、貫通口６２ｅが設けられた本体部６２ａに対してほぼ直角をなす突出片６２ｄの貫通口６２ｅ側の貫通方向面６２ｆに設けられているので、熱膨張性黒鉛１０が本体部６２ａに沿うように発泡することにより、発泡した熱膨張性黒鉛１０が貫通口６２ｅを塞ぐように膨張する。このため、玄関扉１ａが更に加熱されたときに、例え内表面材３と外表面材４との間に設けられている断熱材７から発火したとしても、火炎が錠補強部材６内及び孔２ｂを通って玄関扉１ａの外側に出火しないので、電気錠５を備えつつも、炎が外部に出火し難い玄関扉１ａを備えた建具１を提供することが可能である。
【００２９】
また、錠補強部材６は補強部材本体６１と、固定部材６２とにより構成されているので、各々の部材を簡単な形状とすることが可能であり容易に製造することが可能である。また、貫通口６２ｅは固定部材６２側に設けられているので、補強部材本体６１の剛性を低下させることなく電気錠５のケーブル５ｂが挿通される貫通口６２ｅを設けることが可能である。
【００３０】
また、熱膨張性黒鉛１０が設けられる貫通方向面６２ｆを有する突出片６２ｄが電気錠５と反対側であって錠補強部材６の外側に向かって突出しているので、電気錠５に対して固定部材６２の反対側において熱膨張性黒鉛１０が発泡する。このため、熱膨張性黒鉛１０を電気錠５からより離れたところにて発泡させて電気錠５からより離れた位置で火炎を遮断することが可能である。
【００３１】
また、貫通口６２ｅが内表面材３及び外表面材４の面内方向に沿って貫通しているので、電気錠５のケーブル５ｂを内表面材３及び外表面材４の面外方向に突出させることなく、内表面材３及び外表面材４の面内方向に沿って配置することが可能である。このため、玄関扉１ａの厚みを厚くすることなくケーブル５ｂを綺麗に納めることが可能である。
【００３２】
また、玄関扉１ａは火炎に晒されて加熱されると骨材２に孔２ｂが設けられている部位に位置する内表面材３及び外表面材４と骨材２との間に隙間が生じる虞があるが、本実施形態の玄関扉１ａは補強部材本体６１の内板部６１ａ及び外板部６１ｂと内表面材３及び外表面材４との間に熱膨張性黒鉛１０が設けられているので、例え加熱されて内表面材３及び外表面材４に反りが生じても熱膨張性黒鉛１０により内板部６１ａと内表面材３との間及び外板部６１ｂと外表面材４との間を埋めて隙間が生じることを防止することが可能である。
【００３３】
上記実施形態においては、電気錠５のケーブル５ｂが挿通される貫通口６２ｅを、補強部材本体６１を固定する固定部材６２に設けた例について説明したが、これに限らず、たとえば、補強部材本体と固定部材とのいずれにもケーブルが挿通される貫通口が設けられておらず、補強部材本体を固定部材により骨材に固定したときに貫通口が形成される形態であっても構わない。
【００３４】
また、上記実施形態においては、錠補強部材６を補強部材本体６１と固定部材６２とにより構成した例について説明したが、錠補強部材は、単一の部材により形成されていても構わない。
【００３５】
上記実施形態においては、扉体を玄関扉１ａとしたが、これに限らず、玄関以外の場所に取り付けられる扉や、引戸など、四周を囲む金属製の枠体と、金属製の内表面材及び外表面材と、電気錠を備える防扉体であれば構わない。
上記実施形態においては、加熱発泡材を熱膨張性黒鉛１０としたが、加熱されて膨張する耐火材であれば、熱膨張性黒鉛に限るものではない。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１  建具、１ａ  玄関扉、１ｂ  開口枠、１ｃ  開口、２  骨材、２ｂ  孔、
３  内表面材、４  外表面材、５  電気錠、５ｂ  ケーブル、
６  錠補強部材、７  断熱材、１０  熱膨張性黒鉛、
６１  補強部材本体、６１ａ  内板部、６１ｂ  外板部、６２  固定部材、
６２ｄ  突出片、６２ｅ  貫通口、６２ｆ  貫通方向面、
【図１】
2017040136.tif 000003
【図２】
2017040136.tif 000004
【図３】
2017040136.tif 000005
【図４】
2017040136.tif 000006
【図５】
2017040136.tif 000007
【図６】
2017040136.tif 000008
【図７】
2017040136.tif 000009